(57)【要約】【課題】好みの番組を効率的に選択し得る表示装置を提供する。【解決手段】表示部１１と、表示部１１への映像の表示を制御する制御部１５とを備え、制御部１５は、チャンネル切替操作が行われたときに直前に選択されていた直前選択チャンネルの映像を録画映像として映像メモリ１７に記憶させると共に、所定操作が行われたときに直前選択チャンネルにおける現在の映像と録画映像とを表示部１１に同時に表示させる第１の表示制御を実行する。【選択図】図１
2006101086.tif 000002
【特許請求の範囲】
【請求項１】
表示部と、当該表示部への映像の表示を制御する制御部とを備え、
前記制御部は、チャンネル切替操作が行われたときに直前に選択されていた直前選択チャンネルの映像を録画映像として記憶部に記憶させると共に、所定操作が行われたときに前記直前選択チャンネルにおける現在の映像と前記録画映像とを前記表示部に同時に表示させる第１の表示制御を実行する表示装置。
【請求項２】
前記制御部は、前記直前選択チャンネルへのチャンネル切替操作が行われたときを前記所定操作が行われたときとして前記第１の表示制御を実行する請求項１記載の表示装置。
【請求項３】
前記制御部は、前記チャンネル切替操作が行われる毎に前記録画映像を前記記憶部に記憶させると共に、前記第１の表示制御の実行を指示する指示操作が行われたときに前記記憶部に記憶させている複数の前記録画映像と当該各録画映像に対応する各チャンネルにおける現在の各映像とを前記表示部に同時に表示させる第２の表示制御を実行する請求項１記載の表示装置。
【請求項４】
前記制御部は、前記記憶部に記憶させている前記録画映像が所定数を超えているときに、前記第２の表示制御において表示切替操作に応じて前記各録画映像と当該各録画映像に対応する各チャンネルにおける現在の各映像とをスクロール表示させる請求項３記載の表示装置。
【請求項５】
前記制御部は、所定時間が経過したときおよび終了操作が行われたときのいずれかのときに前記表示制御を終了する請求項１から４のいずれかに記載の表示装置。
【請求項６】
請求項１から５のいずれかに記載の表示装置と、前記各チャンネルの前記映像を表示させる放送信号を抽出するチューナとを備えているテレビ。
【発明の詳細な説明】
【技術分野】
【０００１】
本発明は、表示部と、表示部への映像の表示を制御する制御部とを備えた表示装置、およびその表示装置を備えたテレビに関するものである。
【背景技術】
【０００２】
複数のチャンネルのテレビ映像を同時に表示するマルチチャンネル表示機能を備えたテレビとして、特開平１０−５１７０９号公報に開示されたテレビジョン受信機が知られている。このテレビジョン受信機では、操作部を操作することにより、１チャンネルの映像のみを表示する通常表示モードと、主画面および複数の副画面に異なるチャンネルの映像を同時に表示するマルチチャンネル表示モードとを切り替えることが可能となっている。また、このテレビジョン受信機では、同時に表示可能な副画面数よりもチャンネル数が多いときには、操作部を操作することにより、副画面に表示させている映像を押し出すようにして他のチャンネルの映像に順次切り替えることが可能となっている。したがって、複数の副画面に表示された各チャンネルの番組（映像）内容を一度に確認することが可能となっている。
【特許文献１】特開平１０−５１７０９号公報（第３−４頁、第２図）
【発明の開示】
【発明が解決しようとする課題】
【０００３】
ところが、従来のテレビジョン受像機には、以下の問題点がある。すなわち、このテレビジョン受信機では、切替操作を行うことで副画面に表示する映像を切り替えている。この場合、チャンネル数が多いときには各チャンネル番号と番組内容とを関連付けて記憶するのは困難である。このため、例えば、いくつかのチャンネルの番組内容を一通り確認した後に何回か前の切替時に表示された番組を視聴しようとする際には、一般的に、前回表示された映像の記憶を頼りに再び切替操作を行ってその番組を探している。しかしながら、例えば、所望の番組を放送していたチャンネルを再び選局した際にコマーシャルが放送されていたときには、そのチャンネルが所望の番組を放送しているチャンネルであるか否かを確認するのが困難なため、コマーシャルが終了するまで切替操作を繰り返すこととなる。したがって、このテレビジョン受信機には、好みの番組を効率的に選択するのが困難であるという問題点が存在する。この場合、副画面の数を増やして全てのチャンネルの映像を一度に表示する方法も考えられる。しかしながら、副画面の数が多いときには、全てのチャンネルの映像を表示するのに数秒から数十秒の時間を要することがある。したがって、この方法においても、好みの番組を効率的に選択するのが困難であるという問題点が依然として存在する。
【０００４】
本発明は、かかる問題点に鑑みてなされたものであり、好みの番組を効率的に選択し得る表示装置およびテレビを提供することを主目的とする。
【課題を解決するための手段】
【０００５】
上記目的を達成すべく本発明に係る表示装置は、表示部と、当該表示部への映像の表示を制御する制御部とを備え、前記制御部は、チャンネル切替操作が行われたときに直前に選択されていた直前選択チャンネルの映像を録画映像として記憶部に記憶させると共に、所定操作が行われたときに前記直前選択チャンネルにおける現在の映像と前記録画映像とを前記表示部に同時に表示させる第１の表示制御を実行する。
【０００６】
この表示装置によれば、チャンネル切替操作の直前における映像を録画映像として記憶させ、所定操作が行われたときに現在放送中の映像と録画映像とを同時に表示させる第１の表示制御を実行することにより、例えば、チャンネル切替操作を複数回行っていくつかの番組内容を一通り確認した後に、以前に表示されていた映像の１シーンを頼りにこれらの番組の中から所望の番組を探す際に、再びそのチャンネルを選択したときにコマーシャルが放送されていたとしても、その現在放送中のコマーシャルの映像と以前に表示されていた映像の１シーンである録画映像とが同時に表示されるため、そのコマーシャルの映像を放送しているチャンネルが所望の番組を放送するチャンネルであることを確実に認識させることができる。したがって、無駄なチャンネル切替操作を繰り返すことなく所望の番組を効率的に選択させることができる。
【０００７】
また、本発明に係る表示装置は、上記の表示装置において、前記制御部は、前記直前選択チャンネルへのチャンネル切替操作が行われたときを前記所定操作が行われたときとして前記第１の表示制御を実行する。
【０００８】
この表示装置によれば、直前選択チャンネルへのチャンネル切替操作が行われたときに第１の表示制御を実行することにより、例えば、現在放送中の映像だけを表示する通常表示モードから現在放送中の映像と録画映像とを同時に表示するマルチ表示モードへの表示切替を専用の操作ボタンを用いることなくチャンネルボタンだけを用いて行うことができるため、好みの番組をより効率的に選択させることができる。
【０００９】
また、本発明に係る表示装置は、上記の表示装置において、前記制御部は、前記チャンネル切替操作が行われる毎に前記録画映像を前記記憶部に記憶させると共に、前記第１の表示制御の実行を指示する指示操作が行われたときに前記記憶部に記憶させている複数の前記録画映像と当該各録画映像に対応する各チャンネルにおける現在の各映像とを前記表示部に同時に表示させる第２の表示制御を実行する。
【００１０】
この表示装置によれば、チャンネル切替操作が行われる毎に録画映像を記憶させ、指示操作が行われたときに複数の録画映像と現在放送中の複数の映像とを同時に表示させる第２の表示制御を実行することにより、前回放送されていた映像の１シーンである録画映像と現在放送中の映像とがそれぞれ複数同時に表示されるため、例えば、所望の番組を放送するチャンネルでコマーシャルが現在放送されていたとしても、そのチャンネルが所望の番組を放送しているチャンネルであることを確実に認識させることができる。したがって、無駄なチャンネル切替操作を繰り返すことなく所望の番組を効率的に選択させることができる。
【００１１】
さらに、本発明に係る表示装置は、上記の表示装置において、前記制御部は、前記記憶部に記憶させている前記録画映像が所定数を超えているときに、前記第２の表示制御において表示切替操作に応じて前記各録画映像と当該各録画映像に対応する各チャンネルにおける現在の各映像とをスクロール表示させる。
【００１２】
この表示装置によれば、記憶部に記憶させている録画映像が所定数を超えているときに、表示切替操作に応じて各録画映像および現在放送中の各映像をスクロール表示させることにより、数多くのチャンネル切替操作を行ったとしても各録画映像および現在放送中の各映像を見易い大きさで表示することができる。また、一度に表示する現在放送中の各映像の数を所定数以下に制限することで、チューナに対して放送信号を短時間で抽出させることができる。
【００１３】
また、本発明に係る表示装置は、上記の表示装置において、前記制御部は、所定時間が経過したときおよび終了操作が行われたときのいずれかのときに前記表示制御を終了する。
【００１４】
この表示装置によれば、所定時間が経過したときに第１の表示制御および第２の表示制御を終了することにより、マルチ表示モードから通常表示モードへの表示切替を手動操作を行うことなく自動的に行うことができる。また、所定の終了操作が行われたときに第１の表示制御および第２の表示制御を終了することにより、マルチ表示モードから通常表示モードへの表示切替を所定時間経過以前に任意に行うことができる。
【００１５】
また、本発明に係るテレビは、上記の表示装置と、前記各チャンネルの前記映像を表示させる放送信号を抽出するチューナとを備えている。
【００１６】
このテレビによれば、上記の表示装置とチューナとを備えたことにより、上記の表示装置が有する効果と同様の効果を実現することができる。
【発明を実施するための最良の形態】
【００１７】
以下、本発明に係る表示装置およびテレビの最良の形態について、添付図面を参照して説明する。図１に示すテレビ１は、リアプロジェクション型のテレビであって、本体部２およびリモコン３を備えている。本体部２は、表示部１１、映像合成部１２、映像処理部１３、チューナ１４、制御部１５、チャンネル切替履歴メモリ１６、映像メモリ１７、表示タイマ１８および受光部１９を備えている。この場合、表示部１１、映像合成部１２、映像処理部１３、制御部１５、チャンネル切替履歴メモリ１６、映像メモリ１７、表示タイマ１８、受光部１９およびリモコン３によって本発明に係る表示装置が構成される。なお、テレビ１は、実際には、音声出力部を備えているが、本発明についての理解を容易とするために、その図示および説明を省略する。
【００１８】
表示部１１は、図１に示すように、光学エンジン２１およびスクリーンパネル２２を備えている。光学エンジン２１は、本体部２の内部に配設されて、映像合成部１２から出力された表示用信号Ｓｅに基づいて変調した投射光Ｌをスクリーンパネル２２の背面側から投射する。具体的には、光学エンジン２１は、例えば、光源と、光源からの光を投射光Ｌに変調する光変調素子（一例として、ＤＭＤ（Digital Micro Mirror Device ）や液晶ライトバルブ）と、投射光Ｌを拡大する投射レンズ（いずれも図示せず）とを備えている。なお、このテレビ１では、実際には、光学エンジン２１からの投射光Ｌが反射ミラーによって反射されてスクリーンパネル２２に投射されるが、本発明についての理解を容易とするために、その図示および説明を省略する。スクリーンパネル２２は、光学エンジン２１から投射された投射光Ｌを受光して映像を表示する。
【００１９】
映像合成部１２は、制御部１５の制御に従い、映像処理部１３から出力された映像データＤｐに基づき、例えば、図２に示すように、テレビ映像Ｐｔ１（以下、後述する他のテレビ映像Ｐｔ２〜Ｐｔ５，Ｐｔ１１〜Ｐｔ１４と区別しないときには「テレビ映像Ｐｔ」ともいう）をスクリーンパネル２２に全面表示（以下、この表示モードを「通常表示モード」ともいう）させるための表示用信号Ｓｅを生成して光学エンジン２１に出力する。また、映像合成部１２は、制御部１５から録画データＤｒが転送されたときには、例えば、図６に示すように、テレビ映像Ｐｔ４と録画映像Ｐｒ１（以下、後述する他の録画映像Ｐｒ２，Ｐｒ１１〜Ｐｒ１４と区別しないときには「録画映像Ｐｒ」ともいう）とを重ね合わせてスクリーンパネル２２に同時に表示（以下、この表示モードを「マルチ表示モード」ともいう）させるための表示用信号Ｓｅを生成して光学エンジン２１に出力する。
【００２０】
映像処理部１３は、例えば、ＩＦ回路、映像検波回路およびＡ／Ｄ変換部（いずれも図示せず）などを備えている。この場合、映像処理部１３は、制御部１５の制御に従い、チューナ１４から出力された放送信号Ｓｂから映像信号を抽出すると共に、その映像信号に基づく映像データＤｐを映像合成部１２および制御部１５に出力する。チューナ１４は、制御部１５の制御に従い、選局されたチャンネルの放送信号Ｓｂを図外のアンテナで受信した放送波から抽出して、映像処理部１３に出力する。
【００２１】
制御部１５は、表示部１１、映像合成部１２、映像処理部１３およびチューナ１４を制御する。また、制御部１５は、後述する表示切替処理５０を実行することにより、テレビ映像Ｐｔを通常表示モードで表示させる通常表示制御、およびテレビ映像Ｐｔと録画映像Ｐｒとをマルチ表示モードで表示させるマルチ表示制御（本発明における第１の表示制御）を行う。
【００２２】
チャンネル切替履歴メモリ１６は、制御部１５の制御に従い、チャンネルの切替履歴を特定可能なチャンネル履歴データＤｃを記憶する。映像メモリ１７は、各チャンネル用に割り当てられた複数のメモリ領域を備えて構成され、制御部１５から出力された録画データＤｒをその録画データＤｒに対応するチャンネル用のメモリ領域に記憶する。この場合、録画データＤｒは、録画映像Ｐｒを表示させるためのデータであって、チャンネルの切替操作が行われる直前における切替前のチャンネルの１フレーム分の映像データＤｐで構成されている。表示タイマ１８は、テレビ映像Ｐｔと録画映像Ｐｒとをマルチ表示モードで表示させる時間を計測する。受光部１９は、リモコン３から出力された赤外線信号Ｓｉを受光して光電変換して操作信号Ｓｏを出力する。
【００２３】
リモコン３は、図２に示すように、本体部２とは別体に形成されている。また、リモコン３は、電源ボタン３１、チャンネルボタン３２Ａ〜３２Ｌ（以下、区別しないときには「チャンネルボタン３２」ともいう）、カーソルボタン３３Ａ〜３３Ｄ（以下、区別しないときには「カーソルボタン３３」ともいう）および決定ボタン３４などの各種操作ボタンが配列されて構成され、これらの操作ボタンが操作されたときに、各操作ボタンに対応する操作信号を赤外線信号Ｓｉに変換して出力する。
【００２４】
次に、テレビ１の全体的な動作について、図面を参照して説明する。このテレビ１では、リモコン３の電源ボタン３１が操作された際に、表示部１１の光学エンジン２１に電源が供給されて、光源が発光する。また、制御部１５が、チューナ１４を制御して、直前の電源切断時に選局されていたチャンネル（例えばチャンネルＣＨ１）の放送信号Ｓｂを抽出させる。次いで、制御部１５は、チャンネル切替履歴メモリ１６に記憶されているチャンネル履歴データＤｃを消去させると共に、映像メモリ１７に記憶されている録画データＤｒを消去させる。続いて、映像処理部１３が、その放送信号Ｓｂに基づいて映像データＤｐを生成して映像合成部１２に出力する。次に、映像合成部１２が、映像データＤｐに基づいて表示用信号Ｓｅを生成して表示部１１の光学エンジン２１に出力する。これに応じて、光学エンジン２１が光源からの光を表示用信号Ｓｅに基づく投射光Ｌに変調してスクリーンパネル２２に投射させる。これにより、図２に示すように、例えば、家および木が映し出されたチャンネルＣＨ１のテレビ映像Ｐｔ１が通常表示モードで表示される。
【００２５】
次いで、例えば、リモコン３におけるチャンネルＣＨ３に対応するチャンネルボタン３２Ｃ（図２参照）を操作することによるチャンネル切替操作が行われたときには、リモコン３がチャンネルボタン３２Ｃに対応する赤外線信号Ｓｉを出力し、受光部１９が赤外線信号Ｓｉを受光して操作信号Ｓｏを出力する。これに応じて、制御部１５は、図３に示す表示切替処理５０を実行する。この表示切替処理５０では、制御部１５は、まず、チャンネルボタン３２Ｃの操作直前にチャンネルＣＨ１（本発明における直前選択チャンネルに相当する）が選局されていた旨を示すチャンネル履歴データＤｃをチャンネル切替履歴メモリ１６に記憶させる。また、制御部１５は、チャンネルボタン３２Ｃが操作される直前における１フレーム分のチャンネルＣＨ１の映像データＤｐを映像メモリ１７内のチャンネルＣＨ１用の記憶領域に録画データＤｒとして記憶させる（ステップ５１）。
【００２６】
次に、制御部１５は、チューナ１４に対してチャンネル切替制御を実行して（ステップ５２）、新たに選局された（切り替えられた）チャンネルＣＨ３の放送信号Ｓｂを抽出させる。次いで、制御部１５は、チャンネル切替履歴メモリ１６に記憶されているチャンネル履歴データＤｃに基づき、チャンネルＣＨ３（新たに選局されたチャンネル）が以前に選局されていたか否かを判別する（ステップ５３）。この際に、この時点ではチャンネルＣＨ３が以前に選局されていないため、制御部１５は、通常表示制御を実行する（ステップ５４）。この場合、制御部１５は、映像処理部１３を制御して、放送信号Ｓｂに基づく映像データＤｐを出力させる。続いて、映像合成部１２が映像データＤｐに基づく表示用信号Ｓｅを光学エンジン２１に出力することにより（ステップ５６）、光学エンジン２１からの投射光Ｌがスクリーンパネル２２に投射されて、図４に示すように、チャンネルＣＨ３のテレビ映像Ｐｔ２（例えば天気予報番組）が通常表示モードで表示される。
【００２７】
次に、例えば、チャンネルＣＨ６に対応するチャンネルボタン３２Ｆ（図２参照）の操作が行われたときには、制御部１５は、上記の表示切替処理５０を実行する。この場合、制御部１５は、チャンネルＣＨ３が選局されていた旨を示すチャンネル履歴データＤｃをチャンネル切替履歴メモリ１６に記憶させると共に、チャンネルボタン３２Ｆが操作される直前における１フレーム分のチャンネルＣＨ３の映像データＤｐを映像メモリ１７内のチャンネルＣＨ３用の記憶領域に録画データＤｒとして記憶させる（ステップ５１）。次いで、制御部１５は、チューナ１４に対してチャンネル切替制御を実行して（ステップ５２）、チャンネルＣＨ６の放送信号Ｓｂを抽出させる。続いて、制御部１５は、チャンネル切替履歴メモリ１６に記憶されているチャンネル履歴データＤｃに基づき、チャンネルＣＨ６（新たに選局されたチャンネル）が以前に選局されていたか否かを判別する（ステップ５３）。この時点ではチャンネルＣＨ６が以前に選局されていないため、制御部１５は、通常表示制御を実行する（ステップ５４）。この場合、制御部１５は、映像処理部１３を制御して、放送信号Ｓｂに基づく映像データＤｐを出力させる。次に、映像合成部１２が映像データＤｐに基づく表示用信号Ｓｅを光学エンジン２１に出力することにより（ステップ５６）、図５に示すように、海の風景が映し出されたチャンネルＣＨ６のテレビ映像Ｐｔ３が表示される。
【００２８】
一方、以前に表示された家および木が映し出された番組の視聴を所望するものの、その番組のチャンネルがチャンネルＣＨ１，ＣＨ３のいずれであったかが不明なときには、チャンネルボタン３２Ａ，３２Ｃのいずれか一方を操作する。この場合、例えば、チャンネルＣＨ３に対応するチャンネルボタン３２Ｃの操作（本発明における所定操作）が行われたときには、制御部１５は、チャンネルＣＨ６が選局されていた旨を示すチャンネル履歴データＤｃをチャンネル切替履歴メモリ１６に記憶させると共に、チャンネルボタン３２Ｃが操作される直前における１フレーム分のチャンネルＣＨ６の映像データＤｐを映像メモリ１７内のチャンネルＣＨ６用の記憶領域に録画データＤｒとして記憶させる（表示切替処理５０のステップ５１）。次に、制御部１５は、チューナ１４に対してチャンネル切替制御を実行して（ステップ５２）、チャンネルＣＨ３の放送信号Ｓｂを抽出させた後に、チャンネル切替履歴メモリ１６に記憶されているチャンネル履歴データＤｃに基づき、チャンネルＣＨ３が以前に選局されていたか否かを判別する（ステップ５３）。
【００２９】
この際に、チャンネルＣＨ３が以前に選局されているため、制御部１５は、マルチ表示制御を実行する（ステップ５５）。この場合、制御部１５は、映像処理部１３を制御して、チャンネルＣＨ３の放送信号Ｓｂに基づく映像データＤｐを出力させると共に、映像メモリ１７に記憶されているチャンネルＣＨ３についての録画データＤｒを読み出して映像合成部１２に転送する。次いで、映像合成部１２は、映像データＤｐおよび録画データＤｒに基づき、テレビ映像Ｐｔと録画映像Ｐｒとをマルチ表示モードで表示させるための表示用信号Ｓｅを生成して光学エンジン２１に出力する（ステップ５６）。これに応じて、光学エンジン２１が投射光Ｌをスクリーンパネル２２に投射することにより、図６に示すように、チャンネルＣＨ３における現在放送中のテレビ映像Ｐｔ４と、録画映像Ｐｒ１とがマルチ表示モードで表示される。この場合、前回チャンネルＣＨ３が選局されていた状態から他のチャンネル（この例ではＣＨ６）に切り替えられる直前において記憶させた天気予報の録画映像Ｐｒ１が表示されるため、同図に示すように、新たにチャンネルＣＨ３を選局したときに、例えば、コマーシャルが放送されていたとしても、チャンネルＣＨ３が家および木の映像を１シーンとする所望の番組を放送するチャンネルではないことをユーザーに確実に認識させることができる。
【００３０】
続いて、チャンネルＣＨ１に対応するチャンネルボタン３２Ａの操作（本発明における所定操作）が行われたときには、制御部１５は、チャンネルＣＨ３が選局されていた旨を示すチャンネル履歴データＤｃをチャンネル切替履歴メモリ１６に記憶させると共に、チャンネルボタン３２Ａが操作される直前における１フレーム分のチャンネルＣＨ３の映像データＤｐを映像メモリ１７内のチャンネルＣＨ３用の記憶領域に録画データＤｒとして記憶させる（表示切替処理５０のステップ５１）。次に、制御部１５は、チューナ１４に対してチャンネル切替制御を実行して（ステップ５２）、チャンネルＣＨ１の放送信号Ｓｂを抽出させた後に、チャンネル切替履歴メモリ１６に記憶されているチャンネル履歴データＤｃに基づき、チャンネルＣＨ１が以前に選局されていたか否かを判別する（ステップ５３）。
【００３１】
この際に、チャンネルＣＨ１が以前に選局されているため、制御部１５は、マルチ表示制御を実行する（ステップ５５）。この場合、制御部１５は、映像処理部１３を制御して、チャンネルＣＨ１の放送信号Ｓｂに基づく映像データＤｐを出力させると共に、映像メモリ１７に記憶されているチャンネルＣＨ１についての録画データＤｒを映像合成部１２に転送する。次いで、映像合成部１２が映像データＤｐおよび録画データＤｒに基づく表示用信号Ｓｅを光学エンジン２１に出力し（ステップ５６）、光学エンジン２１が投射光Ｌをスクリーンパネル２２に投射することにより、図７に示すように、チャンネルＣＨ１における現在放送中のテレビ映像Ｐｔ５と、録画映像Ｐｒ２とがマルチ表示モードで表示される。この場合、前回チャンネルＣＨ１が選局されていた状態から他のチャンネル（この例ではＣＨ３）に切り替えられた直前において記憶させた家および木が映し出された録画映像Ｐｒ２が表示されるため、同図に示すように、新たにチャンネルＣＨ１を選局したときに、例えば、コマーシャルが放送されていたとしても、チャンネルＣＨ１が家および木の録画映像Ｐｒ２を１シーンとする所望の番組を放送するチャンネルであることを確実に認識させることができる。
【００３２】
次に、制御部１５は、表示タイマ１８の時間計測に基づき、テレビ映像Ｐｔ５および録画映像Ｐｒ２のマルチ表示モードでの表示を所定時間（例えば５秒間）だけ継続させた後に、マルチ表示制御を終了してマルチ表示モードから通常表示モードへの表示切替を実行する。この場合、制御部１５は、所定の終了操作（例えばリモコン３の決定ボタン３４（図２参照）の操作）が行われたときには、５秒が経過する以前にマルチ表示制御を終了してマルチ表示モードから通常表示モードへの表示切替を実行する。
【００３３】
このように、このテレビ１によれば、チャンネル切替操作直前におけるテレビ映像Ｐｔを録画データＤｒとして映像メモリ１７に記憶させ、現在放送中のテレビ映像Ｐｔと録画映像Ｐｒとを表示部１１にマルチ表示モードで表示することにより、例えば、チャンネル切替操作を複数回行っていくつかの番組内容を一通り確認した後に、以前に表示されていたテレビ映像Ｐｔの１シーンを頼りにこれらの番組の中から所望の番組を探す際に、再びそのチャンネルを選択したときにコマーシャルが放送されていたとしても、その現在放送中のコマーシャルのテレビ映像Ｐｔと以前に表示されていたテレビ映像Ｐｔの１シーンである録画映像Ｐｒとが同時に表示されるため、そのコマーシャルのテレビ映像Ｐｔを放送しているチャンネルが所望の番組を放送するチャンネルであることを確実に認識させることができる。したがって、無駄なチャンネル切替操作を繰り返すことなく所望の番組を効率的に選択させることができる。
【００３４】
また、以前に選択されたチャンネルへのチャンネル切替操作が行われたときに制御部１５がマルチ表示制御を実行することにより、例えば、マルチ表示制御を実行させるための専用の操作ボタンを用いることなく、チャンネルボタン３２だけを用いて通常表示モードからマルチ表示モードへの表示切替を行うことができるため、好みの番組をより効率的に選択させることができる。また、所定時間が経過したときにマルチ表示制御を終了することにより、手動操作を行うことなくマルチ表示モードから通常表示モードへの表示切替を自動的に行うことができる。この場合、所定の終了操作が行われたときにマルチ表示制御を終了することにより、マルチ表示モードから通常表示モードへの表示切替を所定時間経過以前に任意に行うことができる。
【００３５】
なお、本発明は、上記の構成に限定されない。例えば、チャンネルボタン３２の操作だけで通常表示モードとマルチ表示モードとの表示切替を行う例について上記したが、図２に示すように、表示モード切替ボタン３５を設けたリモコン１０３を備え、この表示モード切替ボタン３５の操作（本発明における所定操作および指示操作に相当する）に基づいて両表示モードの表示切替を行うテレビ１０１を採用することもできる。このテレビ１０１では、図８に示すように、例えば、電源投入時に表示されていたチャンネルＣＨ１からチャンネルＣＨ３、チャンネルＣＨ６およびチャンネルＣＨ７の順にチャンネル切替操作が行われたときに、制御部１５が上記した表示切替処理５０と同様の制御を実行することにより、チャンネル履歴データＤｃおよび録画データＤｒをチャンネル切替履歴メモリ１６および映像メモリ１７にそれぞれ記憶させる。
【００３６】
次に、表示モード切替ボタン３５が操作されたときには、制御部１５は、複数のチャンネルのテレビ映像Ｐｔと各チャンネルの録画映像Ｐｒとをマルチ表示モードで表示させるマルチ表示制御（本発明における第２の表示制御）を行う。具体的には、制御部１５は、例えば、チャンネル切替履歴メモリ１６に基づいて履歴の新しい順に３つのチャンネル（この例ではチャンネルＣＨ７，ＣＨ６，ＣＨ３）を特定し、チューナ１４を制御して、これらの各チャンネルについての放送信号Ｓｂを所定時間刻みで順次出力させる。これに応じて、映像処理部１３が放送信号Ｓｂに基づく映像データＤｐを映像合成部１２に出力する。また、制御部１５は、この３つのチャンネルＣＨ７，ＣＨ６，ＣＨ３に対応する録画データＤｒを映像メモリ１７から読み出して映像合成部１２に転送する。次いで、映像合成部１２が、映像データＤｐおよび録画データＤｒに基づき、各チャンネルＣＨ７，ＣＨ６，ＣＨ３のテレビ映像Ｐｔと各チャンネルＣＨ７，ＣＨ６，ＣＨ３に対応する録画データＤｒとをマルチ表示モードで表示させるための表示用信号Ｓｅを光学エンジン２１に出力する。これに応じて、光学エンジン２１が投射光Ｌをスクリーンパネル２２に投射することにより、図９に示すように、各チャンネルＣＨ７，ＣＨ６，ＣＨ３のテレビ映像Ｐｔ１１〜Ｐｔ１３、および各チャンネルＣＨ７，ＣＨ６，ＣＨ３の録画映像Ｐｒ１１〜Ｐｒ１３がマルチ表示モードで表示される。
【００３７】
続いて、例えば、リモコン１０３の上向きのカーソルボタン３３Ｃが操作されたときには、制御部１５は、順序を１つ繰り下げて２番目に履歴の新しいものから順に３つのチャンネル（この例ではチャンネルＣＨ６，ＣＨ３，ＣＨ１）を特定し、チューナ１４を制御して、これらのチャンネルについての放送信号Ｓｂを所定時間刻みで順次出力させる。これに応じて、映像処理部１３が放送信号Ｓｂに基づく映像データＤｐを映像合成部１２に出力する。また、制御部１５は、この３つのチャンネルＣＨ６，ＣＨ３，ＣＨ１に対応する録画データＤｒを映像メモリ１７から読み出して映像合成部１２に転送する。次いで、映像合成部１２が映像データＤｐおよび録画データＤｒに基づく表示用信号Ｓｅを出力し、光学エンジン２１が表示用信号Ｓｅに基づいて変調した投射光Ｌをスクリーンパネル２２に投射することにより、図９に示すテレビ映像Ｐｔ１１〜Ｐｔ１３および録画映像Ｐｒ１１〜Ｐｒ１３が同図に示す矢印の方向に沿ってスクロールされる。この結果、図１０に示すように、チャンネルＣＨ６，ＣＨ３，ＣＨ１のテレビ映像Ｐｔ１２〜Ｐｔ１４、および各チャンネルＣＨ６，ＣＨ３，ＣＨ１に対応する録画映像Ｐｒ１２〜Ｐｒ１４がマルチ表示モードで表示される。
【００３８】
次いで、表示されたテレビ映像Ｐｔおよび録画映像Ｐｒの中から所望の番組を見つけたときには、そのチャンネルに対応するチャンネルボタン３２を操作する。これに応じて、制御部１５がチューナ１４を制御してそのチャンネルボタン３２に対応するチャンネルについての放送信号Ｓｂだけを出力させることにより、そのチャンネルのテレビ映像Ｐｔが通常表示モードで表示される。このテレビ１０１によれば、表示モード切替ボタン３５の操作が行われたときに、複数の録画映像Ｐｒと、各録画映像Ｐｒに対応する各チャンネルのテレビ映像Ｐｔとをマルチ表示モードで表示することにより、現在放送中のテレビ映像Ｐｔと前回放送されていたテレビ映像Ｐｔの１シーンである録画映像Ｐｒとが複数同時に表示されるため、所望の番組を放送するチャンネルでコマーシャルが現在放送されていたとしても、そのチャンネルが所望の（目当ての）番組を放送しているチャンネルであることを確実に認識させることができる。したがって、このテレビ１０１においても、無駄なチャンネル切替操作を繰り返すことなく所望の番組を効率的に選択させることができる。また、映像メモリ１７に記憶させた録画データＤｒが所定数（この例では３つ）を超えているときに、カーソルボタン３３の操作に応じて各テレビ映像Ｐｔおよび各録画映像Ｐｒをスクロール表示させることにより、数多くのチャンネル切替操作を行ったとしても各映像Ｐｔ，Ｐｒを見易い大きさで表示することができる。また、一度に表示するテレビ映像Ｐｔの数を所定数以下に制限することで、チューナ１４に対して放送信号Ｓｂを短時間で抽出させることができる。この場合、チューナを複数備えることで、マルチ表示モードにおける放送信号Ｓｂの抽出時間をさらに短縮することができる。
【００３９】
また、光学エンジン２１およびスクリーンパネル２２を備えて表示部１１を構成した例について上記したが、表示部として、ＣＲＴ、液晶表示パネルおよびプラズマディスプレイを採用することもできる。また、チューナが別体に構成されている表示装置に本発明を適用することもできる。
【図面の簡単な説明】
【００４０】
【図１】テレビ１，１０１の構成を示すブロック図である。
【図２】テレビ１，１０１の正面図である。
【図３】表示切替処理５０のフローチャートである。
【図４】テレビ映像Ｐｔ２の表示画面図である。
【図５】テレビ映像Ｐｔ３の表示画面図である。
【図６】テレビ映像Ｐｔ４および録画映像Ｐｒ１の表示画面図である。
【図７】テレビ映像Ｐｔ５および録画映像Ｐｒ２の表示画面図である。
【図８】チャンネルＣＨ１，ＣＨ３，ＣＨ６，ＣＨ７における各テレビ映像Ｐｔの表示画面図である。
【図９】テレビ映像Ｐｔ１１〜Ｐｔ１３および録画映像Ｐｒ１１〜Ｐｒ１３がマルチ画面表示されている表示画面図である。
【図１０】テレビ映像Ｐｔ１２〜Ｐｔ１４および録画映像Ｐｒ１２〜Ｐｒ１４がマルチ画面表示されている表示画面図である。
【符号の説明】
【００４１】
１，１０１  テレビ、１１  表示部、１４  チューナ、１５  制御部、１７  映像メモリ、３２Ａ〜３２Ｌ  チャンネルボタン、３３Ａ〜３３Ｄ  カーソルボタン、３４  決定ボタン、３５  表示モード切替ボタン、Ｐｒ，Ｐｒ１，Ｐｒ２，Ｐｒ１１〜Ｐｒ１４  録画映像、Ｐｔ，Ｐｔ１〜Ｐｔ５，Ｐｔ１１〜Ｐｔ１４  テレビ映像、Ｓｂ  放送信号
【図１】
2006101086.tif 000003
【図２】
2006101086.tif 000004
【図３】
2006101086.tif 000005
【図４】
2006101086.tif 000006
【図５】
2006101086.tif 000007
【図６】
2006101086.tif 000008
【図７】
2006101086.tif 000009
【図８】
2006101086.tif 000010
【図９】
2006101086.tif 000011
【図１０】
2006101086.tif 000012